(57)【特許請求の範囲】
【請求項１】
上下方向に垂下せしめた索条体と、
該索条体の上部を支持する支持手段と、
前記索条体に係合し、該索条体に沿って移動する移動体とを備えるとともに、
前記移動体は、その移動を制御する制動手段、並びに遊戯者を保持する保持手段を備えてなり、
前記制動手段は、前記索条体に対し当接，離隔するように設けられた当接部材と、該当接部材を付勢して前記索条体に当接させる付勢手段と、一方端が前記当接部材に接続される連結部材と、該連結部材の他方端が接続され、該連結部材を介して、前記当接部材を前記索条体から離隔させるハンドルとを備えて構成されることを特徴とする降下遊戯装置。
【請求項２】
前記支持手段を昇降させる昇降手段を備えてなる請求項１記載の降下遊戯装置。
【請求項３】
前記索条体は、下端に錘体を備え、前記移動体は、前記錘体に係合して緩衝する弾性体を備えてなる請求項１又は２記載の降下遊戯遊戯装置。
【発明の詳細な説明】
【０００１】
【産業上の利用分野】
本発明は遊園地や公園等の行楽, 歓楽地に設置して好適な遊戯用装置に関する。
【０００２】
【従来の技術】
遊園地等に娯楽を目的とした各種遊戯施設が設置されているのは周知の通りである。そして、従来、遊戯者搭乗部と、この遊戯者搭乗部の上方に設けたパラシュートとを備えた乗物装置が知られている。この装置は、適宜巻上装置を用いてワイヤロープにより前記遊戯者搭乗部を所定高さまで吊り上げた後、適宜制動装置により落下速度を制御しながら、前記遊戯者搭乗部を降下せしめるというものであり、パラシュートを装飾的に用いたものである。而して、遊戯者は落下という日常生活では到底味わうことのできないスピード感やスリル感を味わうことができる。
【０００３】
【発明が解決しようとする課題】
しかしながら、近年、若者の間では趣味感や価値観が多様化し、従来にない感覚を体感できる遊戯装置が求められている。
本発明はかかる実情の下なされたものであり、従来の遊戯装置においては到底味わうことのできない感覚を体感することのできる遊戯装置の提供を目的とする。
【０００４】
【課題を解決するための手段】
上記目的を達成するための本発明は、上下方向に垂下せしめた索条体と、該索条体の上部を支持する支持手段と、前記索条体に係合し、前記索条体に沿って移動する移動体とを備え、前記移動体は、その作動を制御する制動手段、並びに遊戯者を保持する保持手段を備える。
【０００５】
前記制動手段は、前記索条体に対し当接，離隔するように設けられた当接部材と、該当接部材を付勢して前記索条体に当接させる付勢手段と、一方端が前記当接部材に接続される連結部材と、該連結部材の他方端が接続され、該連結部材を介して、前記当接部材を前記索条体から離隔させるハンドルとを備えて構成される。
【０００６】
尚、上記構成に加えて、前記支持手段を昇降させる昇降手段を更に設けても良く、また、前記索条体はその下端に錘体を備え、前記移動体は前記錘体に係合して緩衝する弾性体を備えていても良い。
【０００７】
【作用及び効果】
本発明によれば、まず、移動体の保持手段に遊戯者を保持せしめる。尚、移動体は索条体の上部位置に係合し、且つ制動手段の当接部材が索条体に当接してその摩擦力によるブレーキ作用により当該移動体は前記索条体の上部に停止しているものとする。ついで、前記制動手段のハンドルを操作し、当接部材を付勢手段に抗して索条体から離隔させると、前記ブレーキ作用が解除されて移動体が下方に降下する。
【０００８】
次に、ハンドルを元に戻すと、付勢手段の付勢力によって再び当接部材が索条体に当接し、その摩擦力によるブレーキ作用によって当該移動体が停止する。而して、遊戯者はハンドルを操作することにより、自らの意思で移動体を任意の位置まで降下させた後、停止させることができ、自由落下するというスリル感に富んだ遊戯を、自らの意思に基づく操作によって楽しむことができる。
【０００９】
また、支持手段を昇降させる昇降手段を設けると、この昇降手段により支持手段を降下させることで、移動体を扱い易い位置まで降下させることができ、当該降下位置において、移動体を前記索条体の上部位置まで容易に移動させることができるとともに、遊戯者を容易に移動体に保持させることができる。このようにして、移動体を索条体の上部に停止させ、当該移動体に遊戯者を保持させた状態で昇降手段を駆動して支持手段を上昇させ、上述した遊戯を行う。これにより、容易に当該遊戯を繰り返して行うことができる。
【００１０】
また、索条体の下端位置に錘体を設けると、索条体が下方に引っ張られて直線状を保ち易く、移動体がスムーズに降下することができる。また、この錘体に係合して緩衝する弾性体を前記移動体に設けると、移動体が自由落下の状態で索条体の下端位置に達する場合に、移動体に設けた弾性体が錘体に係合し、移動体は当該弾性体により衝突の衝撃が干渉されつつ、停止せしめられる。
【００１１】
【実施例】
以下、本発明の実施例について添付図面に基づき説明する。
【００１２】
図１は本発明の一実施例に係る降下遊戯装置を示す斜視図であるが、同図に示すように、この遊戯装置は、昇降手段（１）と、支持手段（６）と、複数設けた索条体（９）及び移動体（１１）とを備えてなるものである。以下各部の詳細について説明する。
【００１３】
図１に示すように、前記支持手段（６）は輪環形状に構成したトラス構造体（７）と、トラス構造体（７）の内側に接続せしめた十字状の補強部材（８）とからなる。
【００１４】
また、前記昇降手段（１）は巻き上げ装置（図示せず）と、この巻き上げ装置（図示せず）に接続したフック（２）と、このフック（２）に係合する吊環（３）と、前記トラス構造体（７）の上端部に設けた吊環（５）と、一方端が前記吊環（３）に接続し、他端が吊環（５）に接続したワイヤロープ（４）とからなる。而して前記巻き上げ装置（図示せず）を駆動してフック（２）を巻き上げることにより、前記支持手段（６）が上方に引き上げられる。
【００１５】
また、前記索条体（９）は一方端が前記支持手段（６）の下端部に固設され、他方端に錘体（１０）を備えるものであり、ワイヤロープ，天然繊維若しくは合成繊維を撚合わせてロープ状にしたもので構成することができるが、引っ張り強さの点で本例ではワイヤロープを用いた。また、錘体（１０）は前記索条体（９）に所定の張力を付与し、当該索条体（９）を略直線状に保つのに十分な重量を備えたものであり、その形状は特に限定されるものではないが、本例では円柱状に構成した。
【００１６】
図２は前記移動体（１１）の縦断面図であるが、同図に示すように、移動体（１１）は本体（１２）と、ガイドローラ（１３）と、制動手段（１７）とを備えてなるものである。前記本体（１２）は略円筒形をした部材で構成し、図３に示すように一部を面取りした面取り面（１２ｂ）を備えるであり、これをプラスチック等の軽量且つ強度の高い材料で構成している。また、軸心に沿って、上部が小径、下部が大径となった多段孔の中心孔（１２ａ）を備えている。
【００１７】
前記ガイドローラ（１３）は支軸（１４）に回動自在に支持されるもので、二個一組のガイドローラ（１３）を小径側の前記中心孔（１２ａ）内の上下に各一組設けている。尚、支軸（１４）は図示する如く支持孔（１４ａ）に嵌挿され、同じく支持孔（１４ａ）に設けたバネ（１５）により索条体（９）側に付勢される。支持孔（１４ａ）は蓋（１６）により閉じられている。而して一組のガイドローラ（１３）は前記索条体（９）を挟持し、本体（１２）を索条体（９）に沿って移動可能ならしめている。
【００１８】
前記制動手段（１７）は、本体（１２）の両側部に設けたハンドル（１８）と、このハンドル（１８）の先端部に設けたブレーキハンドル（１９）と、小径側の前記中心孔（１２ａ）内の前記二組のガイドローラ（１３）間に、前記索条体（９）を挟持するように設けた二個一組の当接部材（２２）と、この当接部材（２２）を支持する支軸（２３）と、前記当接部材（２２）を索条体（９）側に付勢するバネ（２４）と、一方端を前記支軸（２３）に接続し他方端を前記ブレーキハンドル（１９）に接続せしめたワイヤロープ（２１）とで構成している。
【００１９】
前記ハンドル（１８）はＳ字状をしたパイプ部材で構成したもので、その端部に遊戯者（Ｙ）把持用のグリップ（２０）を備えている。そして、前記ブレーキハンドル（１９）をこのグリップ（２０）に並設している。また、前記ワイヤロープ（２１）を前記ハンドル（１８）の中空部に収納している。
【００２０】
また、前記当接部材（２２）は摩擦力が高く然も耐摩擦性に富んだブレーキライニングを索条体（９）との当接面に備えている。また、支軸（２３）は支持孔（２３ａ）に嵌挿され、矢示方向に方向に移動可能に当接部材（２２）を支持する。
【００２１】
而して、遊戯者（Ｙ）がブレーキハンドル（１９）を矢示方向に引くと、ワイヤロープ（２１）が引かれて当接部材（２２）が索条体（９）より離隔し、遊戯者（Ｙ）がブレーキハンドル（１９）を放すとバネ（２４）の付勢力により当接部材（２２）は索条体（９）に当接し、これを挟持する。
【００２２】
また、前記本体（１２）の大径の中心孔（１２ａ）内にバネ（２５）を設けており、大径部の径は前記錘体（１０）の外径よりも大きい径となっている。
【００２３】
図３に示すように、保持手段（２６）は本体（１２）の面取り面（１２ｂ）に設けたもので、肩部保持部材（２７）と腰部保持部材（２８）とからなる。肩部保持部材（２７）及び腰部保持部材（２８）は枠体で構成され、遊戯者（Ｙ）の接する部分を緩衝材で被覆している。
【００２４】
次に、以上の構成を備える実施例の降下遊戯装置による遊戯について説明する。尚、図１に示すＡ位置におけるように、巻き上げ装置（図示せず）により支持手段（６）が上方に引き上げられており、移動体（１１）に遊戯者（Ｙ）が保持された状態で当該移動体（１１）が索条体（９）の上部に位置しているものとする。
【００２５】
この状態で、まず遊戯者（Ｙ）は制動手段（１７）のブレーキハンドル（１９）を矢示方向に引く。これにより、ワイヤロープ（２１）を介し、支軸（２３）及び当接部材（２２）がバネ（２４）の付勢力に抗して索条体（９）から離隔する方向に移動する。而して、これまでバネ（２４）の付勢力により索条体（９）を挟持していた当接部材（２２）の摩擦力によるブレーキ作用が解除され、移動体（１１）は自重及び遊戯者（Ｙ）の重量により下方に降下する。その際、索条体（９）が錘体（１０）の重量により略直線状を保っており、しかも移動体（１１）のガイドローラ（１３）が索条体（９）をしっかりと挟持しているので移動体（１１）は索条体（９）に沿ってスムーズに下方に降下する。
【００２６】
ついで適宜位置において、遊戯者（Ｙ）が引いていた前記ブレーキハンドル（１９）を放すと、当接部材（２２）がバネ（２４）の付勢力によって索条体（９）に当接する方向に移動し、当該索条体（９）を挟持する。これにより、索条体（９）と当接部材（２２）とが摩擦してブレーキ力が作用し、移動体（１１）の降下が制動され、当該移動体（１１）は停止する。
【００２７】
このようにして遊戯者（Ｙ）はブレーキハンドル（１９）を操作して、索条体（９）に沿って下方に降下することができるが、遊戯者（Ｙ）がブレーキ操作を誤って移動体（１１）が索条体（９）の下方端にまで至った場合、錘体（１０）とバネ（２５）とが係合し、バネ（２５）が収縮することによって移動体（１１）の運動エネルギを吸収して移動体（１１）の降下を停止せしめることができる。従って遊戯者（Ｙ）がブレーキ操作を誤った場合においても移動体（１１）が落下することはなく安全である。
【００２８】
こうして遊戯者（Ｙ）が移動体（１１）が降下を終了すると、ついで巻き上げ装置（図示せず）を駆動して支持手段（６）を下方に降ろし、移動体（１１）を索条体（９）の上部位置に移動せしめ、遊戯者（Ｙ）を保持手段（２６）に保持せしめ、しかる後再び巻き上げ装置を駆動して支持手段（６）を上方に引き上げ、上述したと同様の遊戯を遊戯者（Ｙ）に行わせる。
【００２９】
以上のようにこの例の遊戯装置によれば、遊戯者（Ｙ）は索条体（９）に沿って降下するという極めてスリリングな感覚を味わうことができる。しかも、降下する距離，時間を遊戯者（Ｙ）の意思で自由に変化させることができ、遊戯者（Ｙ）は多様な遊戯を楽しむことができる。
【００３０】
以上、本発明の具体的実施例について説明したが、これはあくまでも一例として例示したものであって、本発明の具体的態様がこれに限られるものではないことは言うまでもない。特に付言するならば、支持手段（６）は索条体（９）を支持することのできる構成であれば足り、本例の構成に限られるものではない。また、昇降手段（１）は支持手段（６）を昇降せしめることができれば足り、その構成は本例のものに限られない。更に、制動手段（１７）は離隔（リモコン）操作できる構成、例えば、電磁ブレーキ機構並びに駆動信号を受信してこの電磁ブレーキを励磁する駆動信号受信装置を本体（１２）に設けるとともに、前記駆動信号受信装置に駆動信号を発信する駆動信号発信装置を設けた構成としても良い。これによれば、遊戯者（Ｙ）の意思に拘わらず不意に降下するというスリル感を遊戯者（Ｙ）は味わうことができる。
【図面の簡単な説明】
【図１】        本発明の一実施例装置を示す斜視図である。
【図２】        移動体を示す縦断面図である。
【図３】        移動体に遊戯者を搭乗せしめた状態を示す斜視図である。
【符号の説明】
１  昇降手段
２  フック
３  吊環
４  ワイヤロープ
５  吊環
６  支持手段
７  トラス構造体
８  補強部材
９  索条体
１０  錘体
１１  移動体
１２  本体
１３  ガイドローラ
１４  支軸
１５  バネ
１６  蓋
１７  制動手段
１８  ハンドル
１９  ブレーキハンドル
２０  グリップ
２１  ワイヤロープ
２２  当接部材
２３  支軸
２４  バネ
２５  バネ
２６  保持手段
２７  肩部保持部材
２８  腰部保持部材
【図１】
0003690756.tif 000002
【図２】
0003690756.tif 000003
【図３】
0003690756.tif 000004